(57)【要約】【課題】設置の自由度を向上させた表示システムを提供する。【解決手段】表示システム１は、電力供給装置１０と、表示装置２０と、を備える。電力供給装置１０は、太陽電池１１１と、太陽電池が上面に設けられる本体部と、を備える。表示装置２０は、太陽電池から得られた電力により動作し、電力供給装置１０と離間して設置される。【選択図】図１
2012132999.tif 000002
【特許請求の範囲】
【請求項１】
太陽電池と、太陽電池が上面に設けられる本体部と、を備える電力供給装置と、
太陽電池から得られた電力により動作する表示装置と、を備え、
表示装置が電力供給装置と離間して設置されることを特徴とする、表示システム。
【請求項２】
本体部に収容され、太陽電池から得られた電力を充電し、その後に放電することで表示装置に電力を供給する蓄電部を、
さらに備えることを特徴とする、請求項１に記載の表示システム。
【請求項３】
本体部が四角柱状であることを特徴とする、請求項１または請求項２に記載の電力供給装置。
【発明の詳細な説明】
【技術分野】
【０００１】
本発明は、表示装置を備えた表示システムに関する。
【背景技術】
【０００２】
近年、デジタルサイネージと呼ばれる、屋外等に配置され、広告や様々な情報を表示する大型の表示装置が普及しつつある（特許文献１、２など）。これらは主に電力系統から供給される電力により動作する。
【先行技術文献】
【特許文献】
【０００３】
【特許文献１】特開２００９−２９４２８４号公報
【特許文献２】特開２００９−２９６１０５号公報
【発明の概要】
【発明が解決しようとする課題】
【０００４】
また、出願人は、太陽電池を備えた表示システムをデジタルサイネージ用に開発中である（例えば、特願２０１０−１４７７７５（２０１０年６月３日出願）、特願２０１０−２６６３３３（２０１０年１１月３０日出願））。これにより、電力系統が供給されていない場所でも表示装置の設置が可能となる。このシステムでは、表示装置（大型モニタ）の上部に太陽電池を設け、表示装置と太陽電池が一体化した構成としている。
【０００５】
しかしながら、上記のようなシステムを、例えばバス停などの既存の公共施設に設置する場合、バス停の屋根が邪魔になり設置できない場合がある。また、太陽電池は大型なものとなるので、狭い場所への設置が困難である。
【０００６】
そこで、本発明は、設置の自由度を向上させた表示システムを提供することを目的とする。
【課題を解決するための手段】
【０００７】
本発明における表示システムは、太陽電池と、太陽電池が上面に設けられる本体部と、を備える電力供給装置と、太陽電池から得られた電力により動作する表示装置と、を備え、表示装置が電力供給装置と離間して設置されることを特徴とする。
【０００８】
また、上記構成の表示システムにおいて、本体部に収容され、太陽電池から得られた電力を充電し、その後に放電することで表示装置に電力を供給する蓄電部を、さらに備えても構わない。
【０００９】
このように構成すると、太陽電池から得られた電力を、蓄電部へ充電することで保持することができる。そのため、例えば太陽電池の発電電力の不足時（例えば夜間や雨天時）であっても、表示装置へ電力供給を行うことが可能になる。
【００１０】
また、上記構成の電力供給装置において、本体部を四角柱状としても構わない。
【００１１】
蓄電部として直方体状の汎用の蓄電池を用いる場合、本体部を四角柱状にすると、円柱状などの他の形状と比較して、本体部の断面積を小型化することができる。さらに、本体部を四角柱状にすると、蓄電部やコントローラなどのメンテナンス用の扉を、本体部の側面に容易に作り込むことができる。
【発明の効果】
【００１２】
本発明の構成とすると、電力供給装置及び表示装置は、電力供給装置が表示装置に電力を供給し得る限り、それぞれ任意の場所に配置することが可能になる。したがって、表示システムの設置の自由度を高くすることができる。
【００１３】
本発明の意義ないし効果は、以下に示す実施の形態の説明によりさらに明らかとなろう。ただし、以下説明する実施の形態は、あくまでも本発明の実施の形態の一つであって、本発明ないし各構成要件の用語の意義は、以下の実施の形態に記載されたものに制限されるものではない。
【図面の簡単な説明】
【００１４】
【図１】は、表示システムの概略構造を示す斜視図である。
【図２】は、電力供給装置の概略構造を示す斜視図である。
【図３】は、電力供給装置の概略構造を示す斜視図である。
【図４】は、電力供給装置の概略構造を示す側面図である。
【図５】は、表示システムの概略構成を示すブロック図である。
【発明を実施するための形態】
【００１５】
以下、本発明の実施の一形態である表示システムについて、図面を参照して説明する。最初に、表示システムの概略構造について、図１を参照して説明する。図１は、表示システムの概略構造を示す斜視図である。
【００１６】
図１に示すように、表示システム１は、電力を供給する電力供給装置１０と、コンテンツを表示する表示装置２０と、を備える。例えば表示装置２０は、バス停などに備えられる構造物Ｓの屋根ｒの下などに設けられる。図１では、構造物Ｓの屋根ｒの支柱ｐに表示装置２０が取り付けられた場合を、例示している。
【００１７】
電力供給装置１０及び表示装置２０は、電力ケーブルなどで電気的に接続されており、表示装置２０は、電力供給装置１０が供給する電力により動作する。電力供給装置１０及び表示装置２０は、電気的に接続し得る限り、それぞれ任意の場所に配置することが可能である。
【００１８】
次に、電力供給装置の概略構造について、図２〜図４を参照して説明する。図２及び図３は、電力供給装置の概略構造を示す斜視図である。図２は、太陽電池１１１が向けられた側（以下、表側とする）から電力供給装置１０を見た場合の斜視図であり、図３は、図２の反対側（以下、裏側とする）から電力供給装置１０を見た場合の斜視図である。また、図４は、電力供給装置の概略構造を示す側面図である。
【００１９】
図２〜図４に示すように、電力供給装置１０は、主として太陽光が照射されることで発電する太陽光発電部１１０と、四角柱状の本体部１２０と、本体部１２０の上面（鉛直方向上側の面、以下同じ）に配置されて太陽光発電部１１０を支持する支持部１３０と、を備える。
【００２０】
太陽光発電部１１０は、照射される光のエネルギーを電力に変換する太陽電池（パネル）１１１と、太陽電池１１１を固定する固定部１１２と、太陽電池１１１及び固定部１１２が隣接して配置される筺体１１３と、を備える。また、太陽光発電部１１０は、略平板状（太陽電池１１１及び固定部１１２が配列される面が大きく、当該面と垂直な面が小さい直方体）である。以下では説明の簡略化のため、太陽光発電部１１０を平板として扱うとともに、太陽電池１１１が配置される面を表面、反対側の面を裏面とする。
【００２１】
太陽電池１１１は、筺体１１３にボルト及びナット等によって固定される固定部１１２により、端部が筺体１１３に押圧されることで、固定される。なお、図１に示す太陽電池１１１の配置方法や固定方法は一例に過ぎず、太陽電池１１１をどのように配置及び固定しても構わない。
【００２２】
支持部１３０は、本体部１２０の上面に配置され、太陽光発電部１１０を支持する。これにより、太陽光発電部１１０が、本体部１２０の鉛直上方に配置される。また、太陽光発電部１１０は、水平方向に対して所定の角度で、支持部１３０に支持される。
【００２３】
例えば、太陽光発電部１１０は、水平面に対する角度が０°よりも大きい角度で（水平面に対して傾斜した状態で）、支持部１３０に支持される構造であると好ましい。この場合、太陽光発電部１１０の鉛直方向の射影面積を小さくすることができるため、電力供給装置１０を容易に設置することが可能になる。
【００２４】
また例えば、太陽光発電部１１０は、水平面に対する角度が、電力供給装置１０の設置を予定する地域の緯度に応じた角度になるように、支持部１３０に支持される構造であると、好ましい。具体的に例えば、太陽光発電部１１０の表面が南向きに配置される状態を想定し、太陽の南中高度（９０°−緯度＋２３．４°〜９０°−緯度−２３．４°を１年間で変動）に適した角度（南中する太陽から略垂直に光が照射される角度。例えば、緯度と略等しい角度）になるように、支持部１３０に支持される構造であると、好ましい。この場合、太陽の光を太陽光発電部１１０の太陽電池１１１に効率よく照射させることができるため、太陽光発電部１１０の発電により得られる電力を大きくすることが可能になる。
【００２５】
支持部１３０は、本体部１２０の上面に固定される下面部１３１と、太陽光発電部１１０の裏面に固定される斜面部１３２と、下面部１３１及び斜面部１３２を接続する斜面接続部１３３と、を備える。下面部１３１は矩形の平板状であり、斜面部１３２は四辺が棒状で太陽光発電部１１０と相似の矩形である。斜面接続部１３３は、下面部１３１の四隅と斜面部１３２の四隅とで距離が最短になる組み合わせを、それぞれ接続する。したがって、本例では斜面接続部１３３が四つ設けられる。なお、支持部１３０の構造はこの例の限りではなく、太陽光発電部１１０を上述のように支持し得る限り、どのような構造としても構わない。
【００２６】
本体部１２０は、太陽電池１１１から供給される電力を充電するとともに放電により電力を供給する蓄電部１２１と、電力供給装置１０が表示装置２０に供給する電力を制御するコントローラ１２２と、を備える。
【００２７】
蓄電部１２１は、本体部１２０に収容され、太陽電池１１１が発電した電力を充電する。なお太陽電池１１１は、直流電圧を出力するようになっている。この直流電圧の大きさは、例えば５０Ｖ前後であるが、発電量に応じて変動する。また、蓄電部１２１は、例えば複数のリチウムイオンバッテリー（バッテリーパック）から成る。
【００２８】
コントローラ１２２は、太陽電池１１１が発電した電力を、蓄電部１２１及び表示装置２０へ供給する。例えば、コントローラ１２２は、原則的に、太陽電池１１１が発電した電力の大部分をそのまま表示装置２０へ供給し、余剰電力（太陽電池１１１による発電電力と表示装置２０の消費電力の差分電力）を蓄電部１２１へ供給する。ただしコントローラ１２２は、発電電力の不足時（例えば夜間や雨天時）には、蓄電部１２１を放電させて、表示装置２０へ電力供給がなされるようにする。
【００２９】
上述のように、蓄電部１２１の放電により表示装置２０へ供給される電力も、元は太陽電池１１１の発電により得られたものである。即ち、蓄電部１２１は、太陽電池１１１の発電により得られた電力を、表示装置２０に供給する前に保持するものとしても、解釈され得る。
【００３０】
なお、電力供給装置１０が、表示装置２０に供給する電力を直流から交流に変換するべく、必要に応じてインバータを備えても構わない。例えば、表示装置２０が汎用のものであり、商用電力（例えば電圧が１００Ｖ、周波数が６０Ｈｚ）で動作する場合など、商用電力と同等の交流電力を出力可能なインバータを本体部１２０に備えると、好ましい。更に、電力供給装置１０は、インバータにより変換された交流電力、又は直流電力（５０Ｖ、１００Ｖ等）の両方が出力可能であっても良い。これにより、電力供給装置１０は様々な仕様の電子機器に対して電力を供給することができる。
【００３１】
また、本体部１２０が、内部を冷却する冷却装置（例えば、送風を行うファン等）を備えても構わない。上述のインバータや蓄電部１２１、コントローラ１２２は、発熱し易く定格温度を超えると正常な動作ができなくなるおそれがある。しかしながら、冷却装置により本体部１２０の内部を冷却することで、これらを正常に動作させることが可能になる。
【００３２】
また、表示システムの概略構成について、図５を参照して説明する。図５は、表示システムの概略構成を示すブロック図であり、表示システム１の全体的な動作に関する要部を示したものである。図１に示したように、表示システム１は、電力供給装置１０と、表示装置２０と、を備える。また、図２〜図４に示したように、電力供給装置１０は、太陽電池１１１と、蓄電部１２１と、コントローラ１２２とを備える。
【００３３】
表示装置２０は、コンテンツを表示する液晶パネル２０１と、液晶パネル２０１を照明するバックライト２０２と、液晶パネル２０１の表示制御を行う表示制御部２０３と、ユーザが触れた位置を検出するタッチパネル２０４と、電力供給装置１０から供給される電力を用いて表示装置２０の各部に電力を供給する電源回路２０５と、表示装置２０の動作を制御する制御部２０６と、を備える。
【００３４】
表示制御部２０３は、液晶パネル２０１での表示制御を行う表示制御回路を有している。この表示制御回路は、コンテンツの画像処理などを実行し、液晶パネル２０１においてコンテンツが適切に表示されるようにする。例えば、表示制御部２０３は、表示装置２０が外部から受信したコンテンツや、表示装置２０に記録されているコンテンツを取得して、表示制御を行う。
【００３５】
液晶パネル２０１は、表示制御部２０３による表示制御に従って、各画素に対応する液晶を変調する。これにより液晶パネル２０１は、バックライト２０２の光の透過度合を変化させ、全体としてコンテンツ（画像）を表示する。なおバックライト２０２は、液晶パネル２０１に白色光を照射するものであり、例えば冷陰極管（ＣＣＦＬ）やＬＥＤが用いられる。
【００３６】
タッチパネル２０４は、静電容量方式の透明なタッチパネルとして形成されており、液晶パネル２０１の前面側に（より詳細には、液晶パネル２０１の前面に配置された前面ガラスに）配置されている。タッチパネル２０４は、ユーザの指が触れた位置等を検出し、その情報を制御部２０６に伝送する。
【００３７】
電源回路２０５は、電力供給装置１０から供給された電力を用いて、表示装置２０の各部に対し電力供給を行う。なお電源回路２０５は、商用電力等（例えば電圧が１００Ｖ、周波数が６０Ｈｚの交流電源）が供給された場合にも、これを直流に変換して表示装置２０の各部へ電力供給することが可能となっている。すなわち電源回路２０５は、外部から供給された交流電力を直流（例えば、２４Ｖ、１２Ｖ、５Ｖ等の直流電圧）に変換するようになっている。供給された電力は、コンテンツの表示など、各種動作の実行に用いられる。制御部２０６は、ＣＰＵ［Central Processing Unit］等によって形成されており、表示装置２０が適切に動作するように、表示装置２０における各部の制御を行う。
【００３８】
以上のように、電力供給装置１０及び表示装置２０は、電力供給装置１０が表示装置２０に電力を供給し得る限り、それぞれ任意の場所に配置することが可能である。具体的に例えば、図１に示したように、表示装置２０を構造物Ｓの屋根ｒの下に配置し、電力供給装置１０を構造物Ｓから離間して配置することも可能になる。したがって、表示システム１の設置の自由度を高くすることができる。
【００３９】
また、蓄電部１２１を備えることにより、太陽電池１１１から得られた電力を、蓄電部１２１に充電することで保持することができる。そのため、例えば太陽電池１１１の発電電力の不足時（例えば夜間や雨天時）であっても、表示装置２０へ電力供給を行うことが可能になる。
【００４０】
なお、本体部１２０を、四角柱状以外の任意の形状としても構わない。ただし、蓄電部１２１として直方体状の汎用の蓄電池を用いる場合、本体部１２０を四角柱状にすると、円柱状などの他の形状と比較して、本体部１２０の断面積を小型化することができるため、好ましい。さらに、本体部１２０を四角柱状にすると、蓄電部１２１やコントローラ１２２などのメンテナンス用の扉を、本体部１２０の側面に容易に作り込むことができるため、好ましい。
【００４１】
以上、本発明における実施の形態について説明したが、本発明の範囲はこれに限定されるものではなく、発明の主旨を逸脱しない範囲で種々の変更を加えて実行することができる。
【産業上の利用可能性】
【００４２】
本発明は、例えば街中などの屋外に設置される表示システムなどに、利用可能である。
【符号の説明】
【００４３】
１        表示システム
１０      電力供給装置
１１０    太陽光発電部
１１１    太陽電池
１２０    本体部
１２１    蓄電部
１２２    コントローラ
２０      表示装置
【図１】
2012132999.tif 000003
【図２】
2012132999.tif 000004
【図３】
2012132999.tif 000005
【図４】
2012132999.tif 000006
【図５】
2012132999.tif 000007